(57)【特許請求の範囲】
【請求項１】
ビニールハウス内にベンチ式栽培槽を設け、この栽培槽内に収容した培養土により植物を栽培するようにしたビニールハウス栽培装置において、
前記栽培槽の底部に、通水性を有する底部材を栽培槽の長さ方向に沿って連続して設け、該底部材の下方に水溶液を所定のレベルに保って循環させる水溶液槽を設け、この水溶液槽の水溶液上面と前記底部材との間に、水溶液を保温あるいは保冷するヒートパイプを配設し、
上記ヒートパイプにより保温あるいは保冷された水溶液を、培養土の上部に設けた散水管を介して培養土に散水するようにしたことを特徴とするビニールハウス栽培装置。
【発明の詳細な説明】
【０００１】
【発明の属する技術分野】
本発明は、ビニールハウス内にベンチ式栽培槽を設け、この栽培槽内に収容した培養土により植物を栽培するようにしたビニールハウス栽培装置において、水溶液を有効に利用し、環境に優しい栽培装置に関する。
【０００２】
【従来の技術】
従来、ビニールハウス内にベンチ式栽培槽を設け、この栽培槽内に収容した培養土により植物を栽培するようにしたビニールハウス栽培装置が周知である。この栽培装置においては、肥料成分を含む水溶液を培養土に散布するだけであり、いわゆる垂れ流し状態である。また、水溶液は特に温度管理がなされていない。さらに、ビニールハウスのパイプ支柱に張設されるビニールシート（あるいは保温・防虫シート）は、１枚のシートを支柱上に蒲鉾状に張設し、ビニールハウス内の温度や日光の調節を行う際には、シートを裾側から上側に巻き上げ、下げて開閉するようにしている。
【０００３】
【発明が解決しようとする課題】
上記従来のビニールハウス栽培装置においては、肥料成分を含む水溶液を培養土に対し垂れ流し状態に散布するので、周囲の環境を汚染する、という問題があった。また、培養土に散布される水溶液は温度管理がなされていないので、温度管理を必要とする植物に対しては温度管理上好ましくなかった。さらに、ビニールハウス内の温度や日光の調節を行う際に、シートを裾側から上側に巻き上げ、下げて開閉しているので、巻き上げたシートにより日陰ができて、植物に対し好ましくない、という問題もあった。一方、オランダでは環境基準制度があり、日本においても近く制度化されるものと思われる。また、環境保全農業（ひりょう、炭酸ガス、電力等）と省エネが見直されている。
本発明は上記の問題点を解決することを目的になされたものである。
【０００４】
【課題を解決するための手段】
上記の目的を達成するために本発明は、以下の構成を有する。
ビニールハウス内にベンチ式栽培槽を設け、この栽培槽内に収容した培養土により植物を栽培するようにしたビニールハウス栽培装置において、前記栽培槽の底部に、通水性を有する底部材を栽培槽の長さ方向に沿って連続して設け、該底部材の下方に水溶液を所定のレベルに保って循環させる水溶液槽を設け、この水溶液槽の水溶液上面と前記底部材との間に、水溶液を保温あるいは保冷するヒートパイプを配設し、上記ヒートパイプにより保温あるいは保冷された水溶液を、培養土の上部に設けた散水管を介して培養土に散水するようにしたことを特徴とする。
【０００６】
【作用】
上記の構成を有することによって、本発明のビニールハウス栽培装置は、以下の作用をする。
【０００７】
一つには、栽培槽の底部に、通水性を有する底部材を栽培槽の長さ方向に沿って連続して設け、該底部材の下方に水溶液を所定のレベルに保って循環させる水溶液槽を設け、この水溶液槽の水溶液上面と前記底部材との間に、水溶液を保温あるいは保冷するヒートパイプを配設することで、栽培槽に散布された水溶液のうち、余分なものは底部材を介して水溶液槽にもたらされて循環し、垂れ流しが防止されて環境に優しいものとなる。また、水溶液はヒートパイプにより保温あるいは保冷され、栽培槽に栽培された植物に好影響を与える。
【０００８】
また、一つには、ヒートパイプにより保温あるいは保冷された水溶液を、培養土の上部に設けた散水管を介して培養土に散水するようにすることで、温度管理が必要な植物に対して好影響をもたらす。
【０００９】
【発明の実施の形態】
以下、本発明の実施の形態を添付の図面を参照して具体的に説明する。
図１において、符号１はビニールハウスで、このビニールハウス１は、パイプ支柱２にビニールシート（または保温・防虫シート）３，４を左右両側から張設し、天井部で重ねられ、ビニールシート３，４の上端部に、シートの押さえ、開閉の際の取っ手となるシート保持部３ａ，４ａを設けている。このシート保持部３ａ，４ａは、ビニールハウス１内の温度や日光の調節を行う際に、ビニールシート３，４を天井部から両側方に向け開閉するのに用いられる。
【００１０】
ビニールハウス１内にはベンチ式栽培槽５が設けられ、この栽培槽５内に収容した培養土６により植物Ａが栽培される。該栽培槽５の底部には、通水性を有する合成樹脂製の網板からなる底部材７を、栽培槽５の長さ方向に沿って連続して設けている。該底部材７の下方に、水溶液９を収容して循環させる水溶液槽８を設けている。水溶液９の上面に排水管１０が設けられていて、水溶液９を所定のレベルに保って循環させている。この水溶液槽８の水溶液９上面と前記底部材７との間に、水溶液９を保温あるいは保冷するヒートパイプ１１を配設している。このヒートパイプ１１は、断熱材からなるカバー体１１ａにより覆われている。
【００１１】
前記ヒートパイプ１１により保温あるいは保冷された水溶液９は、培養土６の上部に設けた散水管１２，１２を介して培養土６に散水される。この散水管１２，１２からの散水は、電子機器、タイマー等で自動化されている。また、培養土６の水分をセンサーにより検出して自動散布するようにしてもよいものである。その際、コンピュータプログラムを用いる。
【００１２】
ヒートパイプ１１は図２及び図３に示すように、パイプ１１ｂの外周を保温材１１ｃで覆った周知のものと同様のものである。このヒートパイプ１１は、図３のように複数のものをガラス室１３に収容して給水パイプ１４から給水し、太陽熱を利用して昇温させるようにしてもよい。また、夜間とか、低温時には、電気温水器（タンク）１５により昇温してタンクに貯留し。ビニールハウスのヒートパイプ供給管１７を介して水溶液槽８内のヒートパイプ１１に供給する。なお、日没と共にビニールハウス暖房管１６を介してビニールハウス１内を暖気するようにしてもしてもよいものである。
【００１３】
水溶液９を保温する場合の温度設定は３０℃程度で十分で、ヒートパイプ１１に３５℃の温水を流すと保温材１１ｃには約３２℃で伝わり保温される。また、栽培槽５全体をシートで保温することにより、ビニールハウス１全体を暖める、または冷やすことなく植物（花や野菜）Ａを温度管理栽培することができる。
【００１４】
以上説明したように本発明の実施形態に係るビニールハウス栽培装置によれば、前述の構成を有することにより、以下の作用効果を奏することができる。
【００１５】
栽培槽の底部に、通水性を有する底部材を栽培槽の長さ方向に沿って連続して設け、該底部材の下方に水溶液を所定のレベルに保って循環させる水溶液槽を設け、この水溶液槽の水溶液上面と前記底部材との間に、水溶液を保温あるいは保冷するヒートパイプを配設したので、栽培槽に散布された水溶液のうち、余分なものは底部材を介して水溶液槽にもたらされて栽培槽の長さ方向に沿って循環し、垂れ流しが防止されることになり、環境に優しい栽培装置となる。また、水溶液はヒートパイプにより保温あるいは保冷され、栽培槽に栽培されている植物に好影響を与えることができる。
【００１６】
また、ヒートパイプにより保温あるいは保冷された水溶液を、培養土の上部に設けた散水管を介して培養土に散水するようにしたので、温度管理が必要な植物に対して好影響をもたらすことができる。更には、ビニールハウスのパイプ支柱に張設されるビニールシートを、左右両側から張設したシートが天井部において重なるようにし、ビニールハウス内の温度や日光の調節を行う際に、ビニールシートを天井部から側方に向け開閉するようにするので、ビニールハウス内の温度や日光の調節を行ったときにビニールシートにより日陰ができることがなく、植物に悪影響を与えることがない。また、ビニールハウスを天井部から左右に大きく開けることが可能となるので、ビニールハウス内の植物の管理作業を容易に行うことができる。
【図面の簡単な説明】
【図１】本発明によるビニールハウス及び栽培装置の正面側の断面図である。
【図２】ヒートパイプの斜視図である。
【図３】ヒートパイプシステムの斜視図である。
【符号の説明】
１  ビニールハウス
２  パイプ支柱
３，４  ビニールシート（または保温・防虫シート）  ３ａ，４ａ  シート保持部
５  ベンチ式栽培槽
６  培養土
７  底部材
８  水溶液槽
９  水溶液
１０  排水管
１１  ヒートパイプ  １１ａ  断熱カバー体  １１ｂ  パイプ  １１ｃ  保温材
１２  散水管
１３  ガラス室
１４  給水パイプ
１５  電気温水器（タンク）
１６  ビニールハウス暖房管
１７  ビニールハウスのヒートパイプ供給管
Ａ  植物
【図１】
0003720306.tif 000002
【図２】
0003720306.tif 000003
【図３】
0003720306.tif 000004